【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
表示画面において、点字打刻用の点字情報を編集するための編集表示および前記点字打刻の打刻イメージを表示するためのプレビュー表示が可能な点字情報処理装置であって、
前記編集表示として、点字の各マスの非打刻点を示す非打刻点マークおよびそれとは異なる形態で打刻点を示す打刻点マークから成るマスマークを表示する編集表示手段と、
前記プレビュー表示として、前記非打刻点および前記打刻点のうちの前記打刻点のみの打刻イメージを表示するプレビュー表示手段と、
を備えたことを特徴とする点字情報処理装置。
【請求項２】
前記打刻点または前記非打刻点を指定することにより、前記マスマークを編集可能な点指定編集手段をさらに備えたことを特徴とする、請求項１に記載の点字情報処理装置。
【請求項３】
前記編集表示手段は、
前記マスマークを表示するマスマーク表示手段と、
前記マスマークに対応する文字による情報である点訳情報を表示する点訳情報表示手段と、
を有することを特徴とする、請求項１または２に記載の点字情報処理装置。
【請求項４】
前記点訳情報を編集して変換することにより、前記マスマークを作成または変更する点訳編集手段をさらに備えたことを特徴とする、請求項３に記載の点字情報処理装置。
【請求項５】
前記編集表示手段は、前記点字打刻と共通の処理シートに印刷される墨字印刷用の墨字情報を表示する墨字情報表示手段をさらに有することを特徴とする、請求項３または４に記載の点字情報処理装置。
【請求項６】
前記墨字情報を編集する墨字情報編集手段と、
前記墨字情報を変換して前記点訳情報を作成または変更する点訳手段と、
をさらに備えたことを特徴とする、請求項５に記載の点字情報処理装置。
【請求項７】
前記編集表示手段は、前記マスマーク、前記点訳情報および前記墨字情報を、共通の表示画面に並べて表示することを特徴とする、請求項５または６に記載の点字情報処理装置。
【請求項８】
前記処理シートに対して前記点字打刻および前記墨字印刷を行うレイアウトを設定するレイアウト設定手段をさらに備え、
前記プレビュー表示手段は、設定されたレイアウトに従って、前記墨字印刷の印刷イメージを前記打刻イメージとともに表示することを特徴とする、請求項５ないし７のいずれかに記載の点字情報処理装置。
【請求項９】
点字打刻用の点字情報を編集するための編集表示および前記点字打刻の打刻イメージを表示するためのプレビュー表示が可能な点字情報処理方法であって、
前記編集表示では、点字の各マスの非打刻点を示す非打刻点マークおよび打刻点を示す打刻点マークから成るマスマークを表示し、前記プレビュー表示では、前記非打刻点および前記打刻点のうちの前記打刻点のみの打刻イメージを表示することを特徴とする点字情報処理方法。
【請求項１０】
コンピュータを請求項１ないし８のいずれかに記載の点字情報処理装置における各手段として機能させるためのプログラム。
【請求項１１】
コンピュータを請求項１ないし８のいずれかに記載の点字情報処理装置における各手段として機能させるためのプログラムを記憶したコンピュータ読み取り可能な記憶媒体。
【手続補正２】
【補正対象書類名】明細書
【補正対象項目名】０００５
【補正方法】変更
【補正の内容】
【０００５】
本発明の点字情報処理装置は、表示画面において、点字打刻用の点字情報を編集するための編集表示および前記点字打刻の打刻イメージを表示するためのプレビュー表示が可能な点字情報処理装置であって、前記編集表示として、点字の各マスの非打刻点を示す非打刻点マークおよびそれとは異なる形態で打刻点を示す打刻点マークから成るマスマークを表示する編集表示手段と、前記プレビュー表示として、前記非打刻点および前記打刻点のうちの前記打刻点のみの打刻イメージを表示するプレビュー表示手段と、を備えたことを特徴とする。
【手続補正３】
【補正対象書類名】明細書
【補正対象項目名】０００６
【補正方法】変更
【補正の内容】
【０００６】
また、本発明の点字情報処理方法は、点字打刻用の点字情報を編集するための編集表示および前記点字打刻の打刻イメージを表示するためのプレビュー表示が可能な点字情報処理方法であって、前記編集表示では、点字の各マスの非打刻点を示す非打刻点マークおよび打刻点を示す打刻点マークから成るマスマークを表示し、前記プレビュー表示では、前記非打刻点および前記打刻点のうちの前記打刻点のみの打刻イメージを表示することを特徴とする。
【手続補正４】
【補正対象書類名】明細書
【補正対象項目名】００２２
【補正方法】変更
【補正の内容】
【００２２】
本発明のプログラムは、コンピュータを上記した点字情報処理装置における各手段として機能させるものである。
また、本発明の記憶媒体は、コンピュータを上記した点字情報処理装置における各手段として機能させるためのプログラムを記憶したコンピュータ読み取り可能なものである。
【手続補正５】
【補正対象書類名】明細書
【補正対象項目名】００２３
【補正方法】変更
【補正の内容】
【００２３】
これらによれば、上述のいずれかの点字情報処理装置を機能させることができるので、点字のマスイメージの編集結果および打刻イメージを、打刻前に容易且つ正確に把握可能にし、操作性を向上させることができる。
【手続補正６】
【補正対象書類名】明細書
【補正対象項目名】００４３
【補正方法】変更
【補正の内容】
【００４３】
６点点字Ｂは、１マス２０１が縦３個×横２個の配置パターンで６個の打刻ポイント２０１ａ〜２０１ｆに分割されており、縦方向のピッチが約２．４ｍｍ、マス内の横方向のピッチが約２．１ｍｍ、マス間のピッチは約３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【手続補正７】
【補正対象書類名】明細書
【補正対象項目名】００４４
【補正方法】変更
【補正の内容】
【００４４】
また、ラベル作成装置１では、打刻ユニット８０として相互に交換可能な２種類のユニットが用意されており、一方は直径が約１．４ｍｍの小形の小打刻凸部２０３を形成し、他方は直径が約１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【手続補正８】
【補正対象書類名】明細書
【補正対象項目名】００４７
【補正方法】変更
【補正の内容】
【００４７】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（図８（ｂ）参照）、入力された文字情報に基づいて点字打刻のみを行う第３処理モード（図８（ｃ）参照）があり、いずれか１つの処理モードが選択される。
【手続補正９】
【補正対象書類名】明細書
【補正対象項目名】００７２
【補正方法】変更
【補正の内容】
【００７２】
そして、特に第１処理モード（墨点併記）の場合、図９に示すように、テープ幅の検出結果が２４ｍｍ（テープＴ１）の場合は（図９（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。
【手続補正１０】
【補正対象書類名】明細書
【補正対象項目名】００７７
【補正方法】変更
【補正の内容】
【００７７】
まず、例えば図１０に示すように、テキスト編集開始前の初期状態では、編集を開始する１行目の行番号（墨字マークＭｋｐ）を表示するとともに、１行目の１文字目の入力を促すカーソルＫを表示する（テキスト編集画面：画面Ｄ１０：以下、ディスプレイ４の表示画面の状態を画面Ｄｘｘとし、Ｄｘｘのみで説明および図示する。）。
【手続補正１１】
【補正対象書類名】明細書
【補正対象項目名】０１２５
【補正方法】変更
【補正の内容】
【０１２５】
なお、本実施形態では、上述のように、すなわち例えば図１９（ａ）等に示すように、打刻点マークＭｈを「●」、非打刻点マークＭｎを「−」とし、未確定状態を白黒反転状態で示し、確定状態を（白黒反転されていない）通常状態で表示したが（図１９（ａ）（ｃ）の組合せで未確定状態と確定状態とを表示したが）、未確定状態を例えば図１９（ｂ）のように点線枠で囲んで表示するなど、他の表示方法に代えることもできる。
【手続補正１２】
【補正対象書類名】明細書
【補正対象項目名】０１２６
【補正方法】変更
【補正の内容】
【０１２６】
また、同様に、非打刻点マークＭｎの「−」を実線の「○」や（図１９（ｄ）〜（ｆ）参照）、点線の「○」（図１９（ｇ）〜（ｉ）参照）に変更したり、未確定状態を白黒反転でなく実線枠で囲むように（図１９（ｇ）参照）、変更することもできる。
【手続補正１３】
【補正対象書類名】明細書
【補正対象項目名】０１２７
【補正方法】変更
【補正の内容】
【０１２７】
また、空白マスは、未確定状態のときのみ全て非打刻点マーク「−」のみから成るマスマーク、すなわち「−」の白黒反転状態で示したが、確定状態でも単なる空白の代わりに全て「−」のマスマークを利用しても良い（図１９（ｊ）参照）。また、空白のマスをイメージしやすいように、点線枠のみのマスマークとしても良い（図１９（ｋ）〜（ｌ）参照）。